【手続補正書】
【提出日】平成21年8月26日(2009.8.26)
【手続補正１】
【補正対象書類名】特許請求の範囲
【補正対象項目名】全文
【補正方法】変更
【補正の内容】
【特許請求の範囲】
【請求項１】
本体上面にトッププレートを設け、
このトッププレートの下方に複数の加熱源を配置した加熱調理装置において、
前記本体には、各加熱源の加熱条件が本体のトッププレート上方から視認可能な統合表示手段と、
各加熱源の通電を制御する通電制御回路と、
この回路から加熱源への電源投入条件を制御する入力手段とを設け、
前記通電制御回路は、前記入力手段からの操作指令信号で加熱条件を設定でき、
通電制御回路は、加熱源の通電条件や前記本体の動作状態を前記統合表示手段に表示し、
前記統合表示手段は、
加熱源の通電条件を表示する表示画面基板と、
前記加熱源の通電状態を光により表示する発光素子と、
この発光素子及び前記表示画面基板を収容したケースと、
を備えてなる加熱調理装置。
【請求項２】
前記ケースは熱伝導性材料から形成された下ケースと、この下ケースの上面開口を塞ぐ断熱性材料から形成された上ケースとを備え、かつケースの外側には冷却用の風が流れる風路が形成されていることを特徴とする請求項１記載の加熱調理装置。
【請求項３】
調理の加熱条件等を表示する表示画面は液晶表示基板から形成されていることを特徴とする請求項１記載の加熱調理装置。
【請求項４】
前記統合表示手段は、前記ケース内の温度を検出し、所定温度に達した場合、前記加熱源の加熱出力を低減又は停止させ、統合表示手段自身の過熱を防止する温度センサーを備えたことを特徴とする請求項１記載の加熱調理装置。
【請求項５】
前記発光素子が本体前方から見て前記表示画面基板の後方位置に配置されるとともに、当該発光素子の近傍に前記温度センサーを設けていることを特徴とする請求項４記載の加熱調理装置。
【請求項６】
通電制御回路は、加熱源の通電が停止されてから、加熱源と統合表示手段の温度が所定値以下になった場合、統合表示手段の電源を遮断することを特徴とする請求項１記載の加熱調理装置。
【請求項７】
通電制御回路は、加熱源の通電が停止されてから、加熱源、統合表示手段及びその他の電気部品の温度がそれぞれの所定値以下になった場合、統合表示手段の電源を遮断することを特徴とする請求項１記載の加熱調理装置。
【請求項８】
本体上面の前方部に前記入力手段の操作部を設け、当該操作部の下方には冷却用の風が流れる風路が形成されていることを特徴とする請求項１記載の加熱調理装置。
【請求項９】
前記操作部の下方空間には、当該操作部用の電気部品を搭載した第１の制御基板及び前記統合表示手段用の電気部品を搭載した第２の制御基板を備えていることを特徴とする請求項８記載の加熱調理装置。
【請求項１０】
前記加熱源は、トッププレートの右側下方に設置した加熱源と、
トッププレートの左側下方に設置した加熱源と、
トッププレートの左右中央部下方に設置した加熱源と、
を備え、
前記発光素子は、中央加熱源の火力を表示するものであり、
前記左右の各加熱源の火力は前記表示画面基板で表示させるように構成したことを特徴とする請求項１記載の加熱調理装置。
【請求項１１】
本体上面にトッププレートを設け、
このトッププレートの下方に複数の加熱源を配置した加熱調理装置において、
前記本体には、各加熱源の加熱条件が本体のトッププレート上方から視認可能な統合表示手段と、
各加熱源の通電を制御する通電制御回路と、
この回路から加熱源への電源投入条件を制御する入力手段とを設け、
前記通電制御回路は、前記入力手段からの操作指令信号で加熱条件を設定でき、
通電制御回路は、加熱源の通電条件や前記本体の動作状態を前記統合表示手段に表示し、
前記統合表示手段は、
加熱源の通電条件を表示する表示画面基板と、
前記加熱源の通電状態を光により表示する発光素子と、
前記本体の温度や動作の異常状態を知らせる報知素子と、
この報知素子、前記発光素子及び前記表示画面基板を収容したケースと、
を備えてなる加熱調理装置。
【請求項１２】
前記ケースは熱伝導性材料から形成された下ケースと、この下ケースの上面開口を塞ぐ断熱性材料から形成された上ケースとを備え、かつケースの外側には冷却用の風が流れる風路が形成されていることを特徴とする請求項１１記載の加熱調理装置。
【請求項１３】
調理の加熱条件等を表示する表示画面基盤は液晶表示基板から形成されていることを特徴とする請求項１１記載の加熱調理装置。
【請求項１４】
前記統合表示手段は、前記ケース内の温度を検出し、所定温度に達した場合、前記加熱源の加熱出力を低減又は停止させ、統合表示手段自身の過熱を防止する温度センサーを備えたことを特徴とする請求項１１記載の加熱調理装置。
【請求項１５】
前記発光素子が本体前方から見て前記表示画面基板の後方位置に配置されるとともに、当該発光素子の近傍に前記温度センサーを設けていることを特徴とする請求項１４記載の加熱調理装置。
【請求項１６】
前記通電制御回路は、前記温度センサーからの異常信号を受けた場合、前記表示画面基盤に文字や記号などの手段で異常発生を表示することを特徴とする請求項１４記載の加熱調理装置。
【請求項１７】
本体上面の前方部に前記入力手段の操作部を設け、当該操作部の下方には冷却用の風が流れる風路が形成されていることを特徴とする請求項１１記載の加熱調理装置。
【請求項１８】
前記操作部の下方空間には、当該操作部用の電気部品を搭載した第１の電気基板及び前記統合表示手段用の電気部品を搭載した第１の制御基板を備えていることを特徴とする請求項１７記載の加熱調理装置。
【請求項１９】
本体内部に複数の加熱源を備えた加熱調理装置において、
前記本体には、その上面において前記加熱源の加熱条件が視認可能な統合表示手段と、
本体上面の前方部に配置された前記入力手段の操作部と、
各加熱源の通電を制御する通電制御回路と、
この回路から加熱源への電源投入条件を制御する入力手段とを設け、
前記通電制御回路は、前記入力手段からの操作指令信号で加熱条件を設定でき、
通電制御回路は、加熱源の通電条件を前記統合表示手段に表示し、
前記統合表示手段の電気部品を搭載した制御基板と、前記操作部の電気部品を搭載した制御基板とを、当該操作部の下方空間に配置し、
これら制御基板の外側には冷却用の風が流れる風路が形成されていることを特徴とする加熱調理装置。
【請求項２０】
電気部品を搭載した制御基板と前記統合表示手段用の電気部品を搭載した制御基板は互いに所定の空隙を置いて上下に重なるように配置されていることを特徴とする請求項１９記載の加熱調理装置。
【手続補正２】
【補正対象書類名】明細書
【補正対象項目名】０００７
【補正方法】変更
【補正の内容】
【０００７】
本発明は以上の構成であるから、各種の調理条件の設定状況が調理装置本体に設けられた共通の表示画面を見てその都度確認することができ、使い勝手を向上させることができるとともに、前記統合表示手段は、調理の加熱条件等を表示する表示画面基板と、前記加熱源の火力を表示する発光素子とがケースによって一体化されて設置されるので、このケースを中心にして統合表示手段を組み立てることが可能となり、生産性が向上する。
また本発明は、加熱源の上面操作部の電気部品を搭載した制御基板と、前記統合表示手段の電気部品を搭載した制御基板を、本体前方部にある操作部の下方空間に配置し、これら制御基板の周囲に冷却風が流れるので、電気回路基板を本体の前方部に纏めて配置することができ、生産性が向上するとともに、制御基板の過熱を防止できる。